Podtech/llm-jp-corpus-v4-ja_patent huggingface dataset:
【手続補正書】
【提出日】平成29年9月29日(2017.9.29)
【手続補正１】
【補正対象書類名】特許請求の範囲
【補正対象項目名】全文
【補正方法】変更
【補正の内容】
【特許請求の範囲】
【請求項１】
所定の判定を実行する判定手段と、
その判定手段による判定結果を示すための複数の図柄列で構成された識別図柄を表示する表示手段と、
その表示手段に前記識別図柄を動的表示する表示制御手段と、
前記判定手段により特定の判定結果と判定された場合に、遊技者に有利となる第１特典遊技とその第１特典遊技よりも遊技者に有利となる第２特典遊技との少なくともいずれかの特典遊技を実行する特典遊技実行手段と、を有した遊技機において、
前記判定手段により前記特定の判定結果と判定された場合に、前記特典遊技実行手段により実行される前記特典遊技の種別情報を決定する種別情報決定手段と、
前記識別図柄が示す前記判定結果に関する情報をその識別図柄で表示されるよりも前に報知し、前記複数の図柄列で構成された前記識別図柄が停止表示される表示位置とは異なる位置に前記識別図柄とは別に表示される付与図柄を決定する付与図柄決定手段と、を有し、
前記付与図柄は、前記第１特典遊技が実行されることを示す識別図柄が表示されなかった場合に、前記第２特典遊技が実行されることを示す識別図柄が表示されることを報知するものであり、
前記特典遊技実行手段により実行される前記特典遊技中にも、実行されている前記特典遊技の種別情報を遊技者に示唆するための前記表示された付与図柄に対応する示唆演出が実行可能に構成されており、
前記付与図柄は、前記種別情報決定手段により決定される少なくとも１の前記種別情報に対応しているものであり、
前記表示された前記付与図柄の表示態様に応じて異なる特定演出が実行されるものであることを特徴とする遊技機。
【請求項２】
前記表示手段は、液晶ディスプレイで構成されているものであることを特徴とする請求項１記載の遊技機。
【手続補正２】
【補正対象書類名】明細書
【補正対象項目名】０００６
【補正方法】変更
【補正の内容】
【０００６】
この目的を達成するために請求項１記載の遊技機は、所定の判定を実行する判定手段と、その判定手段による判定結果を示すための複数の図柄列で構成された識別図柄を表示する表示手段と、その表示手段に前記識別図柄を動的表示する表示制御手段と、前記判定手段により特定の判定結果と判定された場合に、遊技者に有利となる第１特典遊技とその第１特典遊技よりも遊技者に有利となる第２特典遊技との少なくともいずれかの特典遊技を実行する特典遊技実行手段と、を有し、前記判定手段により前記特定の判定結果と判定された場合に、前記特典遊技実行手段により実行される前記特典遊技の種別情報を決定する種別情報決定手段と、前記識別図柄が示す前記判定結果に関する情報をその識別図柄で表示されるよりも前に報知し、前記複数の図柄列で構成された前記識別図柄が停止表示される表示位置とは異なる位置に前記識別図柄とは別に表示される付与図柄を決定する付与図柄決定手段と、を有し、前記付与図柄は、前記第１特典遊技が実行されることを示す識別図柄が表示されなかった場合に、前記第２特典遊技が実行されることを示す識別図柄が表示されることを報知するものであり、前記特典遊技実行手段により実行される前記特典遊技中にも、実行されている前記特典遊技の種別情報を遊技者に示唆するための前記表示された付与図柄に対応する示唆演出が実行可能に構成されており、前記付与図柄は、前記種別情報決定手段により決定される少なくとも１の前記種別情報に対応しているものであり、前記表示された前記付与図柄の表示態様に応じて異なる特定演出が実行されるものである。
請求項２記載の遊技機は、請求項１記載の遊技機において、前記表示手段は、液晶ディスプレイで構成されているものである。
【手続補正３】
【補正対象書類名】明細書
【補正対象項目名】０００７
【補正方法】変更
【補正の内容】
【０００７】
請求項１記載の遊技機によれば、所定の判定を実行する判定手段と、その判定手段による判定結果を示すための複数の図柄列で構成された識別図柄を表示する表示手段と、その表示手段に前記識別図柄を動的表示する表示制御手段と、前記判定手段により特定の判定結果と判定された場合に、遊技者に有利となる第１特典遊技とその第１特典遊技よりも遊技者に有利となる第２特典遊技との少なくともいずれかの特典遊技を実行する特典遊技実行手段と、を有し、前記判定手段により前記特定の判定結果と判定された場合に、前記特典遊技実行手段により実行される前記特典遊技の種別情報を決定する種別情報決定手段と、前記識別図柄が示す前記判定結果に関する情報をその識別図柄で表示されるよりも前に報知し、前記複数の図柄列で構成された前記識別図柄が停止表示される表示位置とは異なる位置に前記識別図柄とは別に表示される付与図柄を決定する付与図柄決定手段と、を有し、前記付与図柄は、前記第１特典遊技が実行されることを示す識別図柄が表示されなかった場合に、前記第２特典遊技が実行されることを示す識別図柄が表示されることを報知するものであり、前記特典遊技実行手段により実行される前記特典遊技中にも、実行されている前記特典遊技の種別情報を遊技者に示唆するための前記表示された付与図柄に対応する示唆演出が実行可能に構成されており、前記付与図柄は、前記種別情報決定手段により決定される少なくとも１の前記種別情報に対応しているものであり、前記表示された前記付与図柄の表示態様に応じて異なる特定演出が実行されるものである。
【手続補正４】
【補正対象書類名】明細書
【補正対象項目名】０００９
【補正方法】変更
【補正の内容】
【０００９】
請求項２記載の遊技機によれば、請求項１記載の遊技機の奏する効果に加え、前記表示手段は、液晶ディスプレイで構成されているものであるので、多様な表示態様を遊技者に提供できるという効果がある。
【手続補正書】
【提出日】平成29年7月28日(2017.7.28)
【手続補正１】
【補正対象書類名】特許請求の範囲
【補正対象項目名】全文
【補正方法】変更
【補正の内容】
【特許請求の範囲】
【請求項１】
発光可能な発光手段と、
その発光手段の輝度を第１の輝度と、その第１の輝度よりも暗い第２の輝度とに少なくとも可変可能な輝度可変手段と、
動作可能な複数の動作部材と、
電源投入に基づいて前記複数の動作部材が予め定められた動作である投入動作を行うように制御する動作制御手段と、を備え、
前記発光手段は、少なくとも前記投入動作が開始されてから終了するまでの間、前記第２の輝度となるものであることを特徴とする遊技機。
【請求項２】
前記複数の動作部材のうち少なくとも一部は、所定の初期位置が定められているものであることを特徴とする請求項１記載の遊技機。
【手続補正２】
【補正対象書類名】明細書
【補正対象項目名】０００６
【補正方法】変更
【補正の内容】
【０００６】
この目的を達成するために請求項１記載の遊技機は、発光可能な発光手段と、その発光手段の輝度を第１の輝度と、その第１の輝度よりも暗い第２の輝度とに少なくとも可変可能な輝度可変手段と、動作可能な複数の動作部材と、電源投入に基づいて前記複数の動作部材が予め定められた動作である投入動作を行うように制御する動作制御手段と、を備え、前記発光手段は、少なくとも前記投入動作が開始されてから終了するまでの間、前記第２の輝度となるものである。
【手続補正３】
【補正対象書類名】明細書
【補正対象項目名】０００７
【補正方法】変更
【補正の内容】
【０００７】
請求項２記載の遊技機は、請求項１記載の遊技機において、前記複数の動作部材のうち少なくとも一部は、所定の初期位置が定められているものである。
【手続補正４】
【補正対象書類名】明細書
【補正対象項目名】０００９
【補正方法】変更
【補正の内容】
【０００９】
本発明の遊技機によれば、発光可能な発光手段と、その発光手段の輝度を第１の輝度と、その第１の輝度よりも暗い第２の輝度とに少なくとも可変可能な輝度可変手段と、動作可能な複数の動作部材と、電源投入に基づいて前記複数の動作部材が予め定められた動作である投入動作を行うように制御する動作制御手段と、を備え、前記発光手段は、少なくとも前記投入動作が開始されてから終了するまでの間、前記第２の輝度となるものである。
【手続補正５】
【補正対象書類名】明細書
【補正対象項目名】１２３７
【補正方法】変更
【補正の内容】
【１２３７】
１０                      パチンコ機（遊技機）
８１                      第３図柄表示装置（表示手段の一部）
１１５                    電源装置（電力供給手段）
２２１                    ＭＰＵ（制御手段の一部）
２３０                    ＬＣＤ用バックライト（発光手段）
４１０                    起立役物（動作部材の一部）
５１０                    傾倒役物（動作部材の一部）
５２０                    回動役物（動作部材の一部）
７１０                    左側揺動役物（動作部材の一部）
７２０                    中央揺動役物（動作部材の一部）
７３０                    右側揺動役物（動作部材の一部）
８１０                    右側スライド役物（動作部材の一部）
８２０                    左側スライド役物（動作部材の一部）
８３０                    上側スライド役物（動作部材の一部）
８４０                    下側スライド役物（動作部材の一部）
Ｓ１４２１ 動作制御手段
Ｓ１４２４                電力判別手段
Ｓ１１２１                輝度可変手段
【手続補正書】
【提出日】平成29年7月28日(2017.7.28)
【手続補正１】
【補正対象書類名】特許請求の範囲
【補正対象項目名】全文
【補正方法】変更
【補正の内容】
【特許請求の範囲】
【請求項１】
発光可能な発光手段と、
動作可能な複数の動作部材と、
その複数の動作部材の一部または全部を動作させるための特定の制御を行う制御手段と、
前記発光手段の輝度を第１の輝度と、その第１の輝度よりも暗い第２の輝度とに少なくとも可変可能な輝度可変手段と、
前記動作部材を動作させるために用いる電力と、前記発光手段を発光させるために用いる電力と、を少なくとも供給する電力供給手段と、を備え、
前記制御手段は、前記輝度可変手段により前記発光手段の輝度が前記第２の輝度に可変される場合に、前記特定の制御に対応する前記動作部材が動作される第１の制御と、前記特定の制御に対応する前記動作部材のうち少なくとも一部の動作が抑制される第２の制御と、を少なくとも含む複数の制御のうち１の制御を実行するものであることを特徴とする遊技機。
【請求項２】
前記複数の動作部材のうち少なくとも一部は、所定の初期位置が定められているものであることを特徴とする請求項１記載の遊技機。
【手続補正２】
【補正対象書類名】明細書
【補正対象項目名】０００６
【補正方法】変更
【補正の内容】
【０００６】
この目的を達成するために請求項１記載の遊技機は、発光可能な発光手段と、動作可能な複数の動作部材と、その複数の動作部材の一部または全部を動作させるための特定の制御を行う制御手段と、前記発光手段の輝度を第１の輝度と、その第１の輝度よりも暗い第２の輝度とに少なくとも可変可能な輝度可変手段と、前記動作部材を動作させるために用いる電力と、前記発光手段を発光させるために用いる電力と、を少なくとも供給する電力供給手段と、を備え、前記制御手段は、前記輝度可変手段により前記発光手段の輝度が前記第２の輝度に可変される場合に、前記特定の制御に対応する前記動作部材が動作される第１の制御と、前記特定の制御に対応する前記動作部材のうち少なくとも一部の動作が抑制される第２の制御と、を少なくとも含む複数の制御のうち１の制御を実行するものである。
【手続補正３】
【補正対象書類名】明細書
【補正対象項目名】０００７
【補正方法】変更
【補正の内容】
【０００７】
請求項２記載の遊技機は、請求項１記載の遊技機において、前記複数の動作部材のうち少なくとも一部は、所定の初期位置が定められているものである。
【手続補正４】
【補正対象書類名】明細書
【補正対象項目名】０００９
【補正方法】変更
【補正の内容】
【０００９】
本発明の遊技機によれば、発光可能な発光手段と、動作可能な複数の動作部材と、その複数の動作部材の一部または全部を動作させるための特定の制御を行う制御手段と、前記発光手段の輝度を第１の輝度と、その第１の輝度よりも暗い第２の輝度とに少なくとも可変可能な輝度可変手段と、前記動作部材を動作させるために用いる電力と、前記発光手段を発光させるために用いる電力と、を少なくとも供給する電力供給手段と、を備え、前記制御手段は、前記輝度可変手段により前記発光手段の輝度が前記第２の輝度に可変される場合に、前記特定の制御に対応する前記動作部材が動作される第１の制御と、前記特定の制御に対応する前記動作部材のうち少なくとも一部の動作が抑制される第２の制御と、を少なくとも含む複数の制御のうち１の制御を実行するものである。
【手続補正５】
【補正対象書類名】明細書
【補正対象項目名】１２３７
【補正方法】変更
【補正の内容】
【１２３７】
１０                      パチンコ機（遊技機）
１１５                    電源装置（電力供給手段）
２２２                    ＲＯＭ（記憶手段）
２２２ｃ                  負荷基準値テーブル（記憶手段）
２２３                    ＲＡＭ（駆動電力記憶手段）
２２３ｅ                  負荷値格納エリア（駆動電力記憶手段）
２２９                    役物用モータ（可変手段）
２３０                    ＬＣＤ用バックライト（発光手段）
４１０                    起立役物（動作部材の一部）
５１０                    傾倒役物（動作部材の一部）
５２０                    回動役物（動作部材の一部）
７１０                    左側揺動役物（動作部材の一部）
７２０                    中央揺動役物（動作部材の一部）
７３０                    右側揺動役物（動作部材の一部）
８１０                    右側スライド役物（動作部材の一部）
８２０                    左側スライド役物（動作部材の一部）
８３０                    上側スライド役物（動作部材の一部）
８４０                    下側スライド役物（動作部材の一部）
Ｓ１４２６                輝度可変手段
Ｓ１４０８                算出手段
Ｓ１４０９                電力判別手段
Ｓ１４１２                駆動抑制手段
Ｓ１４２１                動作制御手段
Ｓ１５０１                判別手段
【手続補正書】
【提出日】平成29年8月30日(2017.8.30)
【手続補正１】
【補正対象書類名】特許請求の範囲
【補正対象項目名】全文
【補正方法】変更
【補正の内容】
【特許請求の範囲】
【請求項１】
複数のＥＣＵの中の少なくとも１つのＥＣＵからのメッセージが有効なメッセージであるか否かを判断し、なりすましメッセージを検出する処理部と、
前記なりすましメッセージが検出された場合は、前記なりすましメッセージをデータフレームの受信中にエラーフレームによって上書きするコントローラと、を有し、
前記少なくとも１つのＥＣＵにＣＡＮバスを介して接続される、ＥＣＵ。
【請求項２】
複数のＥＣＵの中の少なくとも１つのＥＣＵからのメッセージが有効なメッセージであるか否かを判断し、なりすましメッセージを検出する処理部と、
前記なりすましメッセージが検出された場合は、前記なりすましメッセージをエラーフレームによって上書きするコントローラと、を有し、
前記少なくとも１つのＥＣＵにＣＡＮバスを介して接続される、ＥＣＵ。
【請求項３】
複数のネットワーク装置の中の少なくとも１つのネットワーク装置からのメッセージが有効なメッセージであるか否かを判断し、なりすましメッセージを検出して、前記なりすましメッセージをエラーフレームで上書きする処理部を有し、
前記少なくとも１つのネットワーク装置に規格化されたネットワークを介して接続される、ネットワーク装置。
【請求項４】
請求項３に記載のネットワーク装置において、
前記ネットワーク装置とはＥＣＵであり、
前記少なくとも１つのネットワーク装置とはＥＣＵである、ネットワーク装置。
【請求項５】
請求項３に記載のネットワーク装置において、
前記ネットワーク装置とはＥＣＵであり、
前記少なくとも１つのネットワーク装置とはゲートウェイである、ネットワーク装置。
【請求項６】
請求項３に記載のネットワーク装置において、
前記ネットワーク装置とはＥＣＵであり、
前記少なくとも１つのネットワーク装置とはスイッチである、ネットワーク装置。
【請求項７】
請求項３に記載のネットワーク装置において、
前記ネットワーク装置とはゲートウェイであり、
前記少なくとも１つのネットワーク装置とはＥＣＵである、ネットワーク装置。
【請求項８】
請求項３に記載のネットワーク装置において、
前記ネットワーク装置とはゲートウェイであり、
前記少なくとも１つのネットワーク装置とはゲートウェイである、ネットワーク装置。
【請求項９】
請求項３に記載のネットワーク装置において、
前記ネットワーク装置とはゲートウェイであり、
前記少なくとも１つのネットワーク装置とはスイッチである、ネットワーク装置。
【請求項１０】
請求項３に記載のネットワーク装置において、
前記ネットワーク装置とはスイッチであり、
前記少なくとも１つのネットワーク装置とはＥＣＵである、ネットワーク装置。
【請求項１１】
請求項３に記載のネットワーク装置において、
前記ネットワーク装置とはスイッチであり、
前記少なくとも１つのネットワーク装置とはゲートウェイである、ネットワーク装置。
【請求項１２】
請求項３に記載のネットワーク装置において、
前記ネットワーク装置とはスイッチであり、
前記少なくとも１つのネットワーク装置とはスイッチである、ネットワーク装置。
【請求項１３】
請求項３に記載のネットワーク装置において、
前記処理部はコントローラを含む、ネットワーク装置。
【請求項１４】
請求項３に記載のネットワーク装置において、
前記規格化されたネットワークとは、ＣＡＮである、ネットワーク装置。
【請求項１５】
請求項３に記載のネットワーク装置において、
前記規格化されたネットワークとは、ＣＡＮＦＤである、ネットワーク装置。
【請求項１６】
請求項３に記載のネットワーク装置において、
前記規格化されたネットワークとは、Ｅｔｈｅｒｎｅｔである、ネットワーク装置。
【請求項１７】
請求項３乃至１６いずれか記載のネットワーク装置を利用した車用ネットワーク装置。
【手続補正２】
【補正対象書類名】明細書
【補正対象項目名】発明の名称
【補正方法】変更
【補正の内容】
【発明の名称】ＥＣＵ、ネットワーク装置、及び車用ネットワーク装置
【手続補正３】
【補正対象書類名】明細書
【補正対象項目名】０００１
【補正方法】変更
【補正の内容】
【０００１】
本発明は、ＥＣＵ、ネットワーク装置、及び車用ネットワーク装置に関する。
【手続補正書】
【提出日】平成29年8月23日(2017.8.23)
【手続補正１】
【補正対象書類名】明細書
【補正対象項目名】０００５
【補正方法】変更
【補正の内容】
【０００５】
本発明は、以下の構成によって把握される。
（１）本発明に係る頁画像補正装置は、本の頁画像を取得する頁画像取得手段と、前記頁画像の上側に位置する頁幅方向に延びる上側基準線と下側に位置する頁幅方向に延びる下側基準線を取得する基準線取得手段と、前記上側基準線と前記下側基準線に基づき前記頁画像の歪みを補正する歪み補正手段と、を備え、前記基準線取得手段は、前記上側基準線又は前記下側基準線となるべき線が太く、線と見なせない場合、前記上側基準線又は前記下側基準線となるべき線の中央を通る線を前記上側基準線又は前記下側基準線として取得する。
【手続補正２】
【補正対象書類名】明細書
【補正対象項目名】０００６
【補正方法】変更
【補正の内容】
【０００６】
（２）本発明に係る頁画像補正方法は、頁画像補正装置が実行する頁画像補正方法であって、本の頁画像を取得する頁画像取得ステップと、前記頁画像の上側に位置する頁幅方向に延びる上側基準線と下側に位置する頁幅方向に延びる下側基準線を取得する基準線取得ステップと、前記上側基準線と前記下側基準線に基づき前記頁画像の歪みを補正する歪み補正ステップと、を含み、前記基準線取得ステップでは、前記上側基準線又は前記下側基準線となるべき線が太く、線と見なせない場合、前記上側基準線又は前記下側基準線となるべき線の中央を通る線を前記上側基準線又は前記下側基準線として取得する。
【手続補正３】
【補正対象書類名】明細書
【補正対象項目名】０００７
【補正方法】変更
【補正の内容】
【０００７】
（３）本発明に係るプログラムは、頁画像補正装置を制御するコンピュータに、本の頁画像を取得する頁画像取得機能、前記頁画像の上側に位置する頁幅方向に延びる上側基準線と下側に位置する頁幅方向に延びる下側基準線を取得する基準線取得機能、前記上側基準線と前記下側基準線に基づき前記頁画像の歪みを補正する歪み補正機能、を実現させるためのプログラムであって、前記基準線取得機能は、前記上側基準線又は前記下側基準線となるべき線が太く、線と見なせない場合、前記上側基準線又は前記下側基準線となるべき線の中央を通る線を前記上側基準線又は前記下側基準線として取得する。
【手続補正４】
【補正対象書類名】特許請求の範囲
【補正対象項目名】全文
【補正方法】変更
【補正の内容】
【特許請求の範囲】
【請求項１】
本の頁画像を取得する頁画像取得手段と、
前記頁画像の上側に位置する頁幅方向に延びる上側基準線と下側に位置する頁幅方向に延びる下側基準線を取得する基準線取得手段と、
前記上側基準線と前記下側基準線に基づき前記頁画像の歪みを補正する歪み補正手段と、
を備え、
前記基準線取得手段は、前記上側基準線又は前記下側基準線となるべき線が太く、線と見なせない場合、前記上側基準線又は前記下側基準線となるべき線の中央を通る線を前記上側基準線又は前記下側基準線として取得する、
ことを特徴とする頁画像補正装置。
【請求項２】
前記基準線取得手段は、前記頁画像の上側又は下側に位置する線を前記上側基準線又は前記下側基準線として取得するとともに、残る前記下側基準線又は前記上側基準線を前記取得した前記上側基準線又は前記下側基準線を前記頁画像の略中央を基準に折り返した線として取得する、
ことを特徴とする請求項１に記載の頁画像補正装置。
【請求項３】
前記基準線取得手段は、前記上側基準線又は前記下側基準線となるべき線が頁の左右方向の端から端まで届いていない場合は、前記上側基準線又は前記下側基準線となるべき線を延長して頁の左右方向の端から端まで届くようにした線を前記上側基準線又は前記下側基準線となるべき線として取得する、
ことを特徴とする請求項１又は２に記載の頁画像補正装置。
【請求項４】
前記基準線取得手段は、前記上側基準線又は前記下側基準線となるべき線が太く、線と見なせない場合、前記上側基準線又は前記下側基準線に対して三角分割によって輪郭点列を３点１組の単位に分割し、分割された複数の三角形のうち前記輪郭に沿って一辺のみを有する三角形の他の二辺の中点を通る線を前記上側基準線又は前記下側基準線として取得する、
ことを特徴とする請求項１乃至３のいずれか一項に記載の頁画像補正装置。
【請求項５】
頁画像補正装置が実行する頁画像補正方法であって、
本の頁画像を取得する頁画像取得ステップと、
前記頁画像の上側に位置する頁幅方向に延びる上側基準線と下側に位置する頁幅方向に延びる下側基準線を取得する基準線取得ステップと、
前記上側基準線と前記下側基準線に基づき前記頁画像の歪みを補正する歪み補正ステップと、
を含み、
前記基準線取得ステップでは、前記上側基準線又は前記下側基準線となるべき線が太く、線と見なせない場合、前記上側基準線又は前記下側基準線となるべき線の中央を通る線を前記上側基準線又は前記下側基準線として取得する、
ことを特徴とする頁画像補正方法。
【請求項６】
前記基準線取得ステップでは、前記頁画像の上側又は下側に位置する線を前記上側基準線又は前記下側基準線として取得するとともに、残る前記下側基準線又は前記上側基準線を前記取得した前記上側基準線又は前記下側基準線を前記頁画像の略中央を基準に折り返した線として取得する、
ことを特徴とする請求項５に記載の頁画像補正方法。
【請求項７】
前記基準線取得ステップでは、前記上側基準線又は前記下側基準線となるべき線が頁の左右方向の端から端まで届いていない場合は、前記上側基準線又は前記下側基準線となるべき線を延長して頁の左右方向の端から端まで届くようにした線を前記上側基準線又は前記下側基準線となるべき線として取得する、
ことを特徴とする請求項５又は６に記載の頁画像補正方法。
【請求項８】
前記基準線取得ステップでは、前記上側基準線又は前記下側基準線となるべき線が太く、線と見なせない場合、前記上側基準線又は前記下側基準線に対して三角分割によって輪郭点列を３点１組の単位に分割し、分割された複数の三角形のうち前記輪郭に沿って一辺のみを有する三角形の他の二辺の中点を通る線を前記上側基準線又は前記下側基準線として取得する、
ことを特徴とする請求項５乃至７のいずれか一項に記載の頁画像補正方法。
【請求項９】
頁画像補正装置を制御するコンピュータに、
本の頁画像を取得する頁画像取得機能、
前記頁画像の上側に位置する頁幅方向に延びる上側基準線と下側に位置する頁幅方向に延びる下側基準線を取得する基準線取得機能、
前記上側基準線と前記下側基準線に基づき前記頁画像の歪みを補正する歪み補正機能、
を実現させるためのプログラムであって、
前記基準線取得機能は、前記上側基準線又は前記下側基準線となるべき線が太く、線と見なせない場合、前記上側基準線又は前記下側基準線となるべき線の中央を通る線を前記上側基準線又は前記下側基準線として取得する、
ことを特徴とするプログラム。
【手続補正書】
【提出日】平成29年6月13日(2017.6.13)
【手続補正１】
【補正対象書類名】特許請求の範囲
【補正対象項目名】全文
【補正方法】変更
【補正の内容】
【特許請求の範囲】
【請求項１】
シスタチオニンβ−シンターゼ（ＣＢＳ）タンパク質を精製するための方法であって、該ＣＢＳタンパク質が、天然に存在するトランケーション、化学的に切断されるトランケーションまたは遺伝子操作されたトランケーションを含むトランケート型ＣＢＳタンパク質であり、該トランケーションは、該ＣＢＳタンパク質のＣ末端調節領域の少なくとも一部を含み、該ＣＢＳタンパク質が、精製タグを含有せず、該方法が、
（ａ）１つまたは複数の不純物を含むＣＢＳ含有溶液を用意するステップと、
（ｂ）イオン交換クロマトグラフィーカラムを使用して該ＣＢＳ含有溶液のクロマトグラフィーによる分離を実施するステップと、
（ｃ）金属アフィニティークロマトグラフィー（ＩＭＡＣ）樹脂を使用して該ＣＢＳ含有溶液のクロマトグラフィーによる分離を実施し、それにより、該不純物を除去するステップと
を含む方法。
【請求項２】
疎水性相互作用クロマトグラフィー（ＨＩＣ）カラムを使用してクロマトグラフィーによる分離を実施するステップをさらに含む、請求項１に記載の方法。
【請求項３】
セラミックヒドロキシアパタイト樹脂を使用してクロマトグラフィーによる分離を実施するステップをさらに含む、請求項１から２のいずれか１項に記載の方法。
【請求項４】
前記イオン交換クロマトグラフィーカラムが弱陰イオン交換体である、請求項１から３のいずれか１項に記載の方法。
【請求項５】
前記弱陰イオン交換体がＤＥＡＥ−セファロースＦＦカラムである、請求項４に記載の方法。
【請求項６】
前記金属アフィニティークロマトグラフィー（ＩＭＡＣ）樹脂が二価金属陽イオンにより荷電している、請求項１から５のいずれか１項に記載の方法。
【請求項７】
前記二価金属陽イオンがニッケル、銅、コバルトまたは亜鉛である、請求項６に記載の方法。
【請求項８】
前記二価金属イオンが亜鉛である、請求項７に記載の方法。
【請求項９】
イミダゾールを含む溶出緩衝液を用いて前記金属アフィニティークロマトグラフィー（ＩＭＡＣ）樹脂からＣＢＳを溶出させるステップをさらに含む、請求項１から８のいずれか１項に記載の方法。
【請求項１０】
前記トランケート型ＣＢＳタンパク質が、配列番号３によって識別されるアミノ酸配列を有する、請求項１から９のいずれか１項に記載の方法。
【請求項１１】
前記ＣＢＳ含有溶液が清澄化されたＣＢＳ溶液である、請求項１から１０のいずれか１項に記載の方法。
【請求項１２】
前記ＣＢＳが組換え細胞において産生される、請求項１から１１のいずれか１項に記載の方法。
【請求項１３】
前記組換え細胞が細菌細胞である、請求項１２に記載の方法。
【請求項１４】
前記ＣＢＳ含有溶液が、ＣＢＳをコードする核酸配列を含む組換え構築物を発現する組換え細菌細胞をホモジナイズすることによって得られる、請求項１３に記載の方法。
【請求項１５】
前記ＣＢＳ核酸がトランケート型ＣＢＳタンパク質をコードする、請求項１４に記載の方法。
【請求項１６】
前記トランケート型ＣＢＳタンパク質が、配列番号２の３８２〜５３２、３８２〜５５０および５４３〜５５０からなる群における範囲のうちの１つから選択されるアミノ酸位置でトランケーションが開始するＣ末端欠失バリアントである、請求項１５に記載の方法。
【請求項１７】
前記ＣＢＳ核酸配列が配列番号４を含む、請求項１６に記載の方法。
【請求項１８】
前記組換え細胞がＥ．ｃｏｌｉ細胞である、請求項１２から１７のいずれか１項に記載の方法。
【請求項１９】
前記トランケート型ＣＢＳタンパク質をコードする核酸配列が、Ｅ．ｃｏｌｉ細胞において発現させるために最適化されている、請求項１６に記載の方法。
【請求項２０】
濃縮されたＣＢＳ溶液を作製するための方法であって、該ＣＢＳタンパク質が、天然に存在するトランケーション、化学的に切断されたトランケーションまたは遺伝子操作されたトランケーションを含むトランケート型ＣＢＳタンパク質であり、該トランケーションは、該ＣＢＳタンパク質のＣ末端調節領域の少なくとも一部を含み、該ＣＢＳタンパク質が、精製タグを含有せず、該方法が、
（ａ）１つまたは複数の不純物を含むＣＢＳ含有溶液を用意するステップと、
（ｂ）二価金属イオンにより荷電した固定化金属アフィニティークロマトグラフィー（ＩＭＡＣ）樹脂を使用して該ＣＢＳ含有溶液のクロマトグラフィーによる分離を実施し、それにより、該不純物を除去するステップと
を含む方法。
【請求項２１】
前記二価金属イオンがニッケル、銅、コバルトまたは亜鉛である、請求項２０に記載の方法。
【請求項２２】
前記二価金属イオンが亜鉛である、請求項２１に記載の方法。
【請求項２３】
前記トランケート型ＣＢＳタンパク質が、配列番号３によって識別されるアミノ酸配列を有する、請求項２０から２２のいずれか１項に記載の方法。
【請求項２４】
前記ＣＢＳ溶液が清澄化されたＣＢＳ溶液である、請求項２０から２３のいずれか１項に記載の方法。
【請求項２５】
前記ＣＢＳが組換え細胞において産生される、請求項２０から２４のいずれか１項に記載の方法。
【請求項２６】
前記組換え細胞が細菌細胞である、請求項２５に記載の方法。
【請求項２７】
前記ＣＢＳ溶液が、ＣＢＳをコードする核酸配列を含む組換え構築物を発現する組換え細菌細胞をホモジナイズすることによって得られる、請求項２６に記載の方法。
【請求項２８】
前記ＣＢＳがトランケート型ＣＢＳタンパク質をコードする、請求項２７に記載の方法。
【請求項２９】
前記トランケート型ＣＢＳタンパク質が、配列番号２の３８２〜５３２、３８２〜５５０および５４３〜５５０からなる群における範囲のうちの１つから選択されるアミノ酸位置でトランケーションが開始するＣ末端欠失バリアントである、請求項２８に記載の方法。
【請求項３０】
前記ＣＢＳ核酸配列が配列番号４を含む、請求項２９に記載の方法。
【請求項３１】
前記細菌細胞がＥ．ｃｏｌｉ細胞である、請求項２０から３０のいずれか１項に記載の方法。
【請求項３２】
前記トランケート型ＣＢＳタンパク質をコードする核酸配列が、Ｅ．ｃｏｌｉ細胞において発現させるために最適化されている、請求項２０から３１のいずれか１項に記載の方法。
【手続補正書】
【提出日】平成29年9月25日(2017.9.25)
【手続補正１】
【補正対象書類名】特許請求の範囲
【補正対象項目名】全文
【補正方法】変更
【補正の内容】
【特許請求の範囲】
【請求項１】
ポリヌクレオチドであって、
（ａ）分泌タンパク質をコードするオープンリーディングフレームであって、１−メチル−シュードウリジン、シチジン、アデノシン、およびグアノシンから選択されるヌクレオチドからなる前記オープンリーディングフレームと、
（ｂ）コザック配列を含む５’−ＵＴＲと、
（ｃ）少なくとも１つの５’キャップ構造と、
（ｄ）３’−ＵＴＲと、
（ｅ）結合ヌクレオシドの３’尾部配列と、を含み、
コドン最適化されていない同一のオープンリーディングフレームを含むポリヌクレオチドと比較して、前記ポリヌクレオチド由来の分泌タンパク質の発現が増加するように、前記オープンリーディングフレームがコドン最適化されてＧＣ含量を偏らせている、ポリヌクレオチド。
【請求項２】
前記分泌タンパク質がサイトカインである、請求項１に記載のポリヌクレオチド。
【請求項３】
前記結合ヌクレオシドの３’尾部配列が、約１６０個のヌクレオチドのポリＡ尾部およびポリＡ−Ｇ四重鎖からなる群から選択される、請求項１または２に記載のポリヌクレオチド。
【請求項４】
精製されている、請求項１〜３のいずれか一項に記載のポリヌクレオチド。
【請求項５】
前記少なくとも１つの５’末端キャップが、キャップ０、キャップ１、ＡＲＣＡ、イノシン、Ｎ１−メチル−グアノシン、２’フルオロ−グアノシン、７−デアザ−グアノシン、８−オキソ−グアノシン、２−アミノ−グアノシン、ＬＮＡ−グアノシン、および２−アジド−グアノシンからなる群から選択される、請求項１〜４のいずれか一項に記載のポリヌクレオチド。
【請求項６】
請求項１〜５のいずれか一項に記載のポリヌクレオチドを封入する複数の脂質ナノ粒子を含む、組成物。
【請求項７】
前記複数の脂質ナノ粒子が、８０ｎｍ〜１６０ｎｍの平均粒径、０．０２〜０．２０の平均ＰＤＩ、および１０〜２０の脂質：ポリヌクレオチドの平均比（重量／重量）を有する、請求項６に記載の組成物。
【請求項８】
前記脂質ナノ粒子が、ＤＬｉｎ−ＤＭＡ、ＤＬｉｎ−Ｋ−ＤＭＡ、ＤＬｉｎ−ＫＣ２−ＤＭＡ、９８Ｎ１２−５、Ｃ１２−２００、ＤＬｉｎ−ＭＣ３−ＤＭＡ、ＤＯＤＭＡ、ＤＳＤＭＡ、ＤＬｅｎＤＭＡ、ｒｅＬＮＰ、ＰＬＧＡ、またはＰＥＧ化脂質を含む、請求項６または７に記載の組成物。
【請求項９】
哺乳動物細胞に投与されると、ウラシル、シトシン、アデニン、およびグアニンを含むヌクレオチドからなるオープンリーディングフレームを含む対応するポリヌクレオチドと比較して、前記ポリヌクレオチドは、前記コードされたポリペプチドの増加された発現を有する、請求項６〜８のいずれか一項に記載の組成物。
【請求項１０】
哺乳動物細胞に投与されると、ウラシル、シトシン、アデニン、およびグアニンを含むヌクレオチドからなるオープンリーディングフレームを含む対応するポリヌクレオチドと比較して、前記ポリヌクレオチドは、より長い半減期、または、タンパク質発現のより広い曲線下面積を有する、請求項６〜９のいずれか一項に記載の組成物。
【請求項１１】
末梢血単核細胞に投与されると、ウラシル、シトシン、アデニン、およびグアニンを含むヌクレオチドからなるオープンリーディングフレームを含む対応するポリヌクレオチドと比較して、前記ポリヌクレオチドは、より低いレベルの検出可能なＩＦＮ−αおよびＴＮＦ−αをもたらす、請求項６〜１０のいずれか一項に記載の組成物。
【請求項１２】
哺乳動物細胞内でポリペプチドを発現させる方法であって、
請求項１〜５のいずれか一項に記載の単離されたポリペプチド、または請求項６〜１１のいずれか一項に記載の組成物を細胞に接触させることを含む、方法。
【手続補正書】
【提出日】平成29年9月29日(2017.9.29)
【手続補正１】
【補正対象書類名】特許請求の範囲
【補正対象項目名】全文
【補正方法】変更
【補正の内容】
【特許請求の範囲】
【請求項１】
複数の脂質ナノ粒子を含む組成物であって、前記複数の脂質ナノ粒子はポリヌクレオチドを封入しており、前記ポリヌクレオチドは、
（ａ）修飾ウリジン、シチジン、アデノシンおよびグアノシンヌクレオチドからなり、ポリペプチドをコードするオープンリーディングフレームと、
（ｂ）コザック配列を含む５’ＵＴＲと、
（ｃ）少なくとも１つの５’キャップ構造と、
（ｄ）３’ＵＴＲと、
（ｅ）結合ヌクレオシドの３’尾部配列とを含み、
哺乳類細胞に投与されると、前記ポリヌクレオチドは、シュードウリジン、シチジン、アデノシンおよびグアノシンを含むヌクレオチドからなるオープンリーディングフレームを有する対応するポリヌクレオチドに対して、コードされたポリペプチドの発現を増加させる組成物。
【請求項２】
前記オープンリーディングフレームは、１−メチル−シュードウリジン、シチジン、アデノシンおよびグアノシン、または、５−メトキシ−ウリジン、シチジン、アデノシンおよびグアノシンから選択されるヌクレオチドからなる、請求項１に記載の組成物。
【請求項３】
前記複数の脂質ナノ粒子は、カチオン性脂質、ＰＥＧ化脂質、コレステロール、およびリン脂質を含む、請求項１または２に記載の組成物。
【請求項４】
前記カチオン性脂質は、ＤＬｉｎ−ＤＭＡ、ＤＬｉｎ−Ｋ−ＤＭＡ、ＤＬｉｎ−ＫＣ２−ＤＭＡ、９８Ｎ１２−５、Ｃ１２−２００、ＤＬｉｎ−ＭＣ３−ＤＭＡ、ＤＯＤＭＡ、ＤＳＤＭＡ、またはＤＬｅｎＤＭＡである、請求項３に記載の組成物。
【請求項５】
前記複数の脂質ナノ粒子は、８０ｎｍ〜１６０ｎｍの平均粒径、０．０２〜０．２の平均ＰＤＩ、および１０〜２０の平均脂質：ポリヌクレオチド比（重量／重量）を有する、請求項１〜４のいずれか一項に記載の組成物。
【請求項６】
前記結合ヌクレオシドの３’尾部配列は、約１６０個のヌクレオチドのポリＡ尾部およびポリＡ〜Ｇ四重項のうちから選択される、請求項１〜５のいずれか一項に記載の組成物。
【請求項７】
前記少なくとも１つの５’末端キャップが、キャップ０、キャップ１、ＡＲＣＡ、イノシン、Ｎ１−メチル−グアノシン、２’フルオロ−グアノシン、７−デアザ−グアノシン、８−オキソ−グアノシン、２−アミノ−グアノシン、ＬＮＡ−グアノシン、および２−アジド−グアノシンのうちから選択される、請求項１〜６のいずれか一項に記載の組成物。
【請求項８】
哺乳類細胞に投与されると、前記ポリヌクレオチドは、ウリジン、シチジン、アデノシンおよびグアノシンを含むヌクレオチドからなるオープンリーディングフレームを有する対応するポリヌクレオチドに対して長い半減期または大きいタンパク質発現曲線下面積を有する、請求項１〜７のいずれか一項に記載の組成物。
【請求項９】
末梢血単核細胞に投与されると、前記ポリヌクレオチドは、ウリジン、シチジン、アデノシンおよびグアノシンを含むヌクレオチドからなるオープンリーディングフレームを有する対応するポリヌクレオチドに対して、より低いレベルの検出可能なＩＦＮ−αまたはＴＮＦ−αをもたらす、請求項１〜８のいずれか一項に記載の組成物。
【手続補正書】
【提出日】平成29年7月27日(2017.7.27)
【手続補正１】
【補正対象書類名】特許請求の範囲
【補正対象項目名】全文
【補正方法】変更
【補正の内容】
【特許請求の範囲】
【請求項１】
組換え非病原性マレック病ウイルス（ｒＭＤＶｎｐ）ゲノム内の第１非必須部位内に挿入された第１核酸、およびｒＭＤＶｎｐゲノム内の第２非必須部位内に挿入された第２核酸を含む組換え非病原性マレック病ウイルス（ｒＭＤＶｎｐ）の製造方法であって、
（ａ）感染性喉頭気管炎ウイルス（ＩＬＴＶ）ｇＤタンパク質をコードするヌクレオチド配列と感染性喉頭気管炎ウイルス（ＩＬＴＶ）ｇＩタンパク質をコードするヌクレオチド配列とを含む第１異種核酸、および、ニューカッスル病ウイルス融合タンパク質（ＮＤＶ  Ｆ）をコードするヌクレオチド配列を含む第２異種核酸を構築する工程、ならびに
（ｂ）当該第１異種核酸を前記ｒＭＤＶｎｐゲノム内の前記第１非必須部位内に挿入し、当該第２異種核酸を前記ｒＭＤＶｎｐゲノム内の前記第２非必須部位内に挿入する工程
を含み、
ここで、第１非必須部位および第２非必須部位は、同一であり、且つ、それらはＵＳ２部位もしくはＵＬ５４．５部位であるか、または
第１非必須部位がＵＳ２部位であり、第２非必須部位がＵＬ７／８部位である、製造方法。
【請求項２】
第１非必須部位および第２非必須部位がＵＳ２部位である、請求項１記載の製造方法。
【請求項３】
第１非必須部位および第２非必須部位がＵＬ５４．５部位である、請求項１記載の製造方法。
【請求項４】
第１非必須部位がＵＳ２部位であり、第２非必須部位がＵＬ７／８部位である、請求項１記載の製造方法。
【請求項５】
ＩＬＴＶ  ｇＤタンパク質をコードするヌクレオチド配列が第１プロモーターの機能的制御下にあり、ＩＬＴＶ  ｇＩタンパク質をコードするヌクレオチド配列が第２プロモーターの機能的制御下にあり、そして、ＮＤＶ  Ｆタンパク質をコードするヌクレオチド配列が第３プロモーターの機能的制御下にある、請求項１〜４のいずれか１項記載の製造方法。
【請求項６】
第１プロモーターが内因性ＩＬＴＶ  ｇＤプロモーターであり、第２プロモーターが内因性ＩＬＴＶ  ｇＩプロモーターであり、そして、第３プロモーターがヒトサイトメガロウイルス最初期（ｈＣＭＶ  ＩＥ）プロモーターである、請求項５記載の製造方法。
【請求項７】
前記ｒＭＤＶｎｐが、組換えシチメンチョウヘルペスウイルス（ｒＨＶＴ）である、請求項１〜６のいずれかに記載の製造方法。
【請求項８】
請求項１に記載の製造方法であって、
前記ｒＭＤＶｎｐが組換え核酸を含み、
該組換え核酸は、
５’から３’の方向に以下の順序で、
（ｉ）感染性喉頭気管炎ウイルス（ＩＬＴＶ）ｇＤプロモーター、
（ｉｉ）ＩＬＴＶ  ｇＤタンパク質のコード配列、
（ｉｉｉ）ＩＬＴＶ  ｇＩプロモーター、
（ｉｖ）ＩＬＴＶ  ｇＩタンパク質のコード配列、
（ｖ）ヒトサイトメガロウイルス最初期（ｈＣＭＶ  ＩＥ）プロモーター、
（ｖｉ）ニューカッスル病ウイルス融合タンパク質（ＮＤＶ  Ｆ）のコード配列、および
（ｖｉｉ）転写ターミネーター配列
を含み、
該組換え核酸は、ＵＳ２およびＵＬ５４．５からなる群より選択される非必須部位内に挿入されている、製造方法。
【請求項９】
前記ｒＭＤＶｎｐが、組換えシチメンチョウヘルペスウイルス（ｒＨＶＴ）である、請求項８記載の製造方法。
【手続補正書】
【提出日】平成29年9月29日(2017.9.29)
【手続補正１】
【補正対象書類名】特許請求の範囲
【補正対象項目名】全文
【補正方法】変更
【補正の内容】
【特許請求の範囲】
【請求項１】
複数の脂質ナノ粒子を含む組成物であって、前記複数の脂質ナノ粒子は、
（ｉ）第１のポリヌクレオチドであって、
（ａ）１−メチル−シュードウリジン、シチジン、アデノシンおよびグアノシンから選択されたヌクレオチドからなる腫瘍壊死因子スーパーファミリーメンバー４リガンドをコードするオープンリーディングフレームと、
（ｂ）コザック配列を含む５’ＵＴＲと、
（ｃ）少なくとも１つの５’キャップ構造と、
（ｄ）３’ＵＴＲと、
（ｅ）結合ヌクレオシドの３’尾部配列とを含む第１のポリヌクレオチド、および
（ｉｉ）第２のポリヌクレオチドであって、
（ａ）１−メチル−シュードウリジン、シチジン、アデノシンおよびグアノシンから選択されたヌクレオチドからなるインターロイキンをコードするオープンリーディングフレームと、
（ｂ）コザック配列を含む５’ＵＴＲと、
（ｃ）少なくとも１つの５’キャップ構造と、
（ｄ）３’ＵＴＲと、
（ｅ）結合ヌクレオシドの３’尾部配列とを含む第２のポリヌクレオチド
を封入しており、
（ｉ）および（ｉｉ）のポリヌクレオチドの各々が前記複数の脂質ナノ粒子のうちの少なくとも１つの脂質ナノ粒子に封入されており、前記組成物が腫瘍細胞に投与されると、前記第１のポリヌクレオチドまたは前記第２のポリヌクレオチドのいずれか一方のみを封入する複数の脂質ナノ粒子を含む組成物を投与した場合と比べて相乗的な効果が達成される、組成物。
【請求項２】
前記第１のポリヌクレオチドおよび前記第２のポリヌクレオチドのうちの少なくとも一方は、ｍｉＲ−１２２の少なくとも１つの標的配列を３’ＵＴＲに有する、請求項１に記載の組成物。
【請求項３】
前記複数の脂質ナノ粒子は、カチオン性脂質、ＰＥＧ化脂質、コレステロール、およびリン脂質を含む、請求項１または２に記載の組成物。
【請求項４】
前記カチオン性脂質は、ＤＬｉｎ−ＤＭＡ、ＤＬｉｎ−Ｋ−ＤＭＡ、ＤＬｉｎ−ＫＣ２−ＤＭＡ、９８Ｎ１２−５、Ｃ１２−２００、ＤＬｉｎ−ＭＣ３−ＤＭＡ、ＤＯＤＭＡ、ＤＳＤＭＡ、またはＤＬｅｎＤＭＡである、請求項３に記載の組成物。
【請求項５】
前記複数の脂質ナノ粒子は、８０ｎｍ〜１６０ｎｍの平均粒径、０．０２〜０．２の平均ＰＤＩ、および１０〜２０の平均脂質：ポリヌクレオチド比（重量／重量）を有する、請求項１〜４のいずれか一項に記載の組成物。
【請求項６】
前記結合ヌクレオシドの３’尾部配列は、約１６０個のヌクレオチドのポリＡ尾部およびポリＡ〜Ｇ四重項のうちから選択される、請求項１〜５のいずれか一項に記載の組成物。
【請求項７】
前記少なくとも１つの５’末端キャップが、キャップ０、キャップ１、ＡＲＣＡ、イノシン、Ｎ１−メチル−グアノシン、２’フルオロ−グアノシン、７−デアザ−グアノシン、８−オキソ−グアノシン、２−アミノ−グアノシン、ＬＮＡ−グアノシン、および２−アジド−グアノシンのうちから選択される、請求項１〜６のいずれか一項に記載の組成物。
【請求項８】
哺乳類細胞に投与されると、前記ポリヌクレオチドは、ウラシル、シトシン、アデニンおよびグアニンを含むヌクレオチドからなるオープンリーディングフレームを有する対応するポリヌクレオチドに対して、コードされたポリペプチドの発現を増加させる、請求項１〜７のいずれか一項に記載の組成物。
【請求項９】
哺乳類細胞に投与されると、前記ポリヌクレオチドは、ウラシル、シトシン、アデニンおよびグアニンを含むヌクレオチドからなるオープンリーディングフレームを有する対応するポリヌクレオチドに対して長い半減期または大きいタンパク質発現曲線下面積を有する、請求項１〜８のいずれか一項に記載の組成物。
【請求項１０】
末梢血単核細胞に投与されると、前記ポリヌクレオチドは、ウラシル、シトシン、アデニンおよびグアニンを含むヌクレオチドからなるオープンリーディングフレームを有する対応するポリヌクレオチドに対して、より低いレベルの検出可能なＩＦＮ−αまたはＴＮＦ−αをもたらす、請求項１〜９のいずれか一項に記載の組成物。
【請求項１１】
癌治療薬の製造における、有効量の請求項１〜１０のいずれか一項に記載の組成物の使用。
【手続補正書】
【提出日】平成29年2月23日(2017.2.23)
【手続補正１】
【補正対象書類名】明細書
【補正対象項目名】０００５
【補正方法】変更
【補正の内容】
【０００５】
ところで、従来例は、釉薬を表面に塗布した容状体を熱処理装置内に配して焼き処理する際、例えば容状体を逆さ状態として熱処理装置内の載置部に載置することになるが、この載置部と接触する容状体の開口縁部には部分的に琺瑯層が形成されず、金属が露出してしまう。これは、容状体の開口縁部が接触する載置部に当該開口縁部に塗布された釉薬が付着してしまうからである。この容状体の開口縁部における金属の露出部位の面積を可及的に少なくすべく、載置部は点接触する形状等に設けられているが、いずれにせよ容状体の開口縁部の一部に金属の露出部位が生じてしまう。
【手続補正書】
【提出日】平成29年2月23日(2017.2.23)
【手続補正１】
【補正対象書類名】特許請求の範囲
【補正対象項目名】全文
【補正方法】変更
【補正の内容】
【特許請求の範囲】
【請求項１】
それぞれが記録素子を含む２個の記録素子基板を備え、
前記２個の記録素子基板の各々は、記録素子に供給する電源電圧を受けるための高電位側の端子である第１端子と、前記電源電圧を受けるための低電位側の端子である第２端子と、を有し、
第１の記録素子基板の前記第２端子と、第２の記録素子基板の前記第１端子とは第１配線により互いに接続され、前記第１配線には、電源電圧が供給される第２配線の一端が接続される、
ことを特徴とする記録装置。
【請求項２】
前記２個の記録素子基板のそれぞれに対応する２個の電圧源をさらに含み、
前記２個の電圧源のそれぞれは、対応の記録素子基板に前記電源電圧を供給し、
前記２個の電圧源は、第３配線により直列に接続されており、前記第３配線は、前記第２配線の他端が接続されると共に接地されている、
ことを特徴とする請求項１に記載の記録装置。
【請求項３】
前記第１の記録素子基板の前記第２端子と前記第２の記録素子基板の前記第１端子とを接続する第１ノードと、前記第１の記録素子基板に対応する第１の電圧源と前記第２の記録素子基板に対応する第２の電圧源とを接続する第２ノードと、の間に、前記第１ノードの電位の変動を抑制する調整回路をさらに含む
ことを特徴とする請求項２に記載の記録装置。
【請求項４】
前記調整回路は、前記第１の記録素子基板において駆動される記録素子の数量と、前記第２の記録素子基板において駆動される記録素子の数量との差に応じた電圧を、前記第１ノードに出力する、
ことを特徴とする請求項３に記載の記録装置。
【請求項５】
前記調整回路は、互いに直列に配された第１の電流源および第２の電流源を有しており、
前記第１の電流源は、前記第１の記録素子基板において駆動される記録素子の数量に応じた量の電流を供給し、
前記第２の電流源は、前記第２の記録素子基板において駆動される記録素子の数量に応じた量の電流を供給し、
前記調整回路は、前記第１の電流源の電流量と前記第２の電流源の電流量との差に応じた電圧を出力する
ことを特徴とする請求項４に記載の記録装置。
【請求項６】
前記調整回路は、互いに直列に配された第１の経路および第２の経路を有しており、
前記第１の経路および前記第２の経路の其々は、互いに並列に配された複数の抵抗素子と、スイッチ手段とを含み、
前記第１の経路では、前記スイッチ手段は、前記第１の記録素子基板において駆動される記録素子の数量に応じた数量の抵抗素子を駆動し、
前記第２の経路では、前記スイッチ手段は、前記第２の記録素子基板において駆動される記録素子の数量に応じた数量の抵抗素子を駆動し、
前記調整回路は、前記第１の経路において駆動された抵抗素子の数量と前記第２の経路において駆動された抵抗素子の数量との差に応じた電圧を出力する
ことを特徴とする請求項４に記載の記録装置。
【請求項７】
前記記録素子基板を含む記録ヘッドはフルライン型である、
ことを特徴とする請求項１乃至６のいずれか１項に記載の記録装置。
【請求項８】
前記２個の記録素子基板を含む複数の記録素子基板を備え、前記複数の記録素子基板は千鳥状に配列されている、
ことを特徴とする請求項７に記載の記録装置。
【請求項９】
前記２個の記録素子基板の各々に記録剤を供給するための記録剤供給部をさらに備える、
ことを特徴とする請求項１乃至８のいずれか１項に記載の記録装置。
【請求項１０】
それぞれが記録素子を含む２個の記録素子基板を備え、
前記２個の記録素子基板の各々は、記録素子に供給する電源電圧を受けるための高電位側の端子である第１端子と、前記電源電圧を受けるための低電位側の端子である第２端子と、を有し、
第１の記録素子基板の前記第２端子と、第２の記録素子基板の前記第１端子とは第１配線により互いに接続され、前記第１配線には、電源電圧が供給される第２配線の一端が接続される
ことを特徴とする記録ヘッド。
【請求項１１】
前記２個の記録素子基板のそれぞれに対応する２個の電圧源をさらに含み、
前記２個の電圧源のそれぞれは、対応の記録素子基板に前記電源電圧を供給し、
前記２個の電圧源は、第３配線により直列に接続されており、前記第３配線は、前記第２配線の他端が接続されると共に接地されている、
ことを特徴とする請求項１０に記載の記録ヘッド。
【手続補正２】
【補正対象書類名】明細書
【補正対象項目名】０００６
【補正方法】変更
【補正の内容】
【０００６】
本発明の一つの側面は記録装置にかかり、前記記録装置は、それぞれが記録素子を含む２個の記録素子基板を備え、前記２個の記録素子基板の各々は、記録素子に供給する電源電圧を受けるための高電位側の端子である第１端子と、前記電源電圧を受けるための低電位側の端子である第２端子と、を有し、第１の記録素子基板の前記第２端子と、第２の記録素子基板の前記第１端子とは第１配線により互いに接続され、前記第１配線には、電源電圧が供給される第２配線の一端が接続されることを特徴とする。